(57)【要約】      （修正有）【課題】開花直前の、開葯時間がほぼ同じとなるつぼみだけを一度に複数採取し、作業効率を上げることができる装着式つぼみ採取器を提供する。【解決手段】棒の一方端辺が略直角に折り曲げられた歯先２を有する歯竿３を複数備え、歯竿３が、歯先２が前方に向くように扇形となるように等間隔で配された爪部４と、歯竿３の他方の端辺を支持するベース部５と、爪部４の歯竿３と同数の穴が横一列に等間隔で設けられ、爪部４の各歯竿が穴の各穴に挿通され、歯竿３に沿って前後方向にスライド自在に設けられ、スライドされることによって、歯竿３の間隔が対象物の大きさに合わせて調整される調整部６と、ベース部５及び歯竿３に接着固定され、装置を手の甲に装着固定するための持ち手部７とが備えられた構成とする。【選択図】図１
2015136341.tif 000002
【特許請求の範囲】
【請求項１】
棒の一方端辺が略直角に折り曲げられた歯先を有する歯竿を複数備え、前記歯竿が、歯先が前方に向くように扇形となるように等間隔で配された爪部と、  前記歯竿の他方の端辺を支持するベース部と、  前記爪部の歯竿と同数の穴が横一列に等間隔で設けられ、前記爪部の各歯竿が各前記穴に挿通され、前記歯竿に沿って前後方向にスライド自在に設けられ、スライドされることによって、前記歯竿の間隔が対象物の大きさに合わせて調整される調整部と、  前記ベース部及び前記歯竿に接着固定され、装置を手の甲に装着固定するための持ち手部とを備えることを特徴とする装着式つぼみ採取器。 
【発明の詳細な説明】
【技術分野】
【０００１】
本発明は、扇形に開閉可能な歯竿や手に装着固定される持ち手部を備えた装着式つぼみ採取器に関する。
【背景技術】
【０００２】
従来、花粉採取に必要なつぼみ採取作業は、つぼみを一つ一つ採取する手摘み作業か、枝ごと切り取る方法が取られていた。しかしながら、手摘み作業では時間がかかり過ぎ、枝ごと切り取ると切り口から雑菌が入り、木を傷めてしまうという問題点があった。
【発明の概要】
【発明が解決しようとする課題】
【０００３】
そこで、本発明が解決しようとする課題は、開花直前の、開葯時間がほぼ同じとなるつぼみだけを一度に複数採取し、作業効率を上げることができる装着式つぼみ採取器を提供することである。
【課題を解決するための手段】
【０００４】
この発明は、前記課題を解決するためになされたもので、本発明に係る装着式つぼみ採取器は、棒の一方端辺が略直角に折り曲げられた歯先を有する歯竿を複数備え、前記歯竿が、歯先を前方に向けて扇形となるように等間隔で配された爪部と、前記歯竿の他方の端辺を支持するベース部と、前記爪部の歯竿と同数の穴が横一列に等間隔で設けられ、前記爪部の歯竿が前記穴に挿通され、前記歯竿に沿って前後方向にスライド自在に設けられ、スライドされることによって、前記歯竿の間隔が対象物の大きさに合わせて調整される調整部と、前記ベース部及び前記調整部に接着固定され、装置を手の甲に装着固定するための持ち手部とを備えることを特徴としている。  
【０００５】
本発明に係る装着式つぼみ採取器によれば、棒の一方端辺が略直角に折り曲げられた歯先を有する歯竿を複数備えたことにより、各歯竿の隙間につぼみを挟み込み、指で掴み取るような感覚で一度に複数のつぼみを採取することができるため、作業効率を上げることができる。  
【０００６】
また、本発明に係る装着式つぼみ採取器によれば、各歯竿の間隔を、調整部により対象物に合わせた任意の間隔に調整できるため、採取したい一定の大きさのつぼみだけを採取することができる。よって、開花直前の、開葯時間がほぼ同じとなるつぼみだけを採取することができ、花粉収穫率を向上させることができる。  
【０００７】
さらに、本発明に係る装着式つぼみ採取器によれば、ベース部及び歯竿の２箇所に持ち手部を備えたことにより、装置が手の甲に装着固定され、手にフィットし、手作業の感覚で作業が行えるうえ、手が空くので、装置を手に装着固定した状態で別の作業を行うことができる。
【発明の効果】
【０００８】
この発明によれば、開花直前の、開葯時間がほぼ同じとなるつぼみだけを一度に複数採取し、作業効率を上げることができる装着式つぼみ採取器を提供することができる。
【図面の簡単な説明】
【０００９】
【図１】本発明を適用した装着式つぼみ採取器の斜視図である。
【図２】本発明を適用した装着式つぼみ採取器のベース部の平面図である。
【図３】本発明を適用した装着式つぼみ採取器の調整部の斜視図である。
【図４】本発明を適用した装着式つぼみ採取器の開閉機構の説明に供するである。
【図５】本発明を適用した装着式つぼみ採取器の使用方法の説明に供するである。
【発明を実施するための形態】
【００１０】
以下、本発明を適用した具体的な実施の形態について、図面を参照しながら詳細に説明する。本発明は、例えば、図１に示すような構成の装着式つぼみ採取器１に適用される。  
【００１１】
図１乃至図５を参照して、装着式つぼみ採取器１の構成の概略について説明する。この装着式つぼみ採取器１は、図１に示すように、棒の一方端辺が略直角に折り曲げられた歯先２を有する歯竿３を複数備えた爪部４と、歯竿３の他方の端辺を支持するベース部５と、歯竿３に接着固定され、歯竿３の間隔を対象物の大きさに合わせて調整するための調整部６と、装置を手に装着固定するための持ち手部７とを主要部として備えている。  
【００１２】
爪部４は、例えば、メッキ処理した硬鋼線からなり、複数の棒状の歯竿３と歯竿３の一方端辺が略直角に折り曲げられ鉤形状に成形された歯先２とを備え、各歯竿の隙間につぼみを挟み込み、掴み取るために設けられている。なお、爪部４は、上記材質に限らず、ステンレス鋼，アルミ合金，チタン合金等の軽量かつ強度を有するものであればよい。  
【００１３】
また、爪部４の歯竿３は、例えば１０本あり、歯先２の前方に向けて扇形となるように等間隔で配されている。  
【００１４】
ベース部５は、図２に示すように、例えば、矩形状のステンレス板からなり、歯竿３を挿通させるための、歯竿３と同数の３ｍｍφの穴８が長手方向に沿って７ｍｍ間隔で設けられている。なお、ベース部５は、上記材質に限らず、アルミニウム板等の軽量かつ強度を有するものであればよい。  
【００１５】
また、ベース部５は、歯竿３の他方端辺側に位置し、歯竿３の各基端部が穴８の各穴に挿入され、接着固定されることにより歯竿３を支持する。  
【００１６】
調整部６は、図３に示すように、アルミニウム製溝形鋼からなり、歯竿３を挿通させるための歯竿３と同数の４ｍｍφの穴９が９ｍｍ間隔で設けられている。なお、調整部６は、上記材質に限らず、ステンレス鋼等の軽量かつ強度を有するものであればよい。  
【００１７】
また、調整部６は、図１及び図４に示すように、歯竿３の各基端部から、穴９の各穴に挿入され、歯竿３の中途部に、前後方向へのスライド自在に設けられている。よって、歯先２の間隔は、調整部６の移動に応じて広狭に調整できる。  
【００１８】
持ち手部７は、図１及び図４に示すように、市販の面ファスナー式ベルトを２つ用いる。１つ目の面ファスナー式ベルトは、おもて面がベース部５の裏面に重ね合わされ、重なった部分が例えば接着剤で固定される。また、２つ目の面ファスナー式ベルトのおもて面は、歯竿の裏面に重ねられ、重なった部分が例えば接着剤で固定される。なお、面ファスナー式ベルトの固定は接着剤に限られず、しっかりと固定できる手段であれば特に限定されない。  
【００１９】
続いて、装着式つぼみ採取器１の使用方法について説明する。先ず、ユーザは、手の甲が装置に接するように、手を装置の裏面に重ねる。次に、図５に示すように、持ち手部の面ファスナー式ベルトを手に巻き付け、手と装置とが離れないようしっかり固定する。  
【００２０】
次に、歯竿３の間隔を、採取したいつぼみの大きさに合わせて、調整部６をスライドさせることにより、調整する。  
【００２１】
歯竿３の間隔が決まったら、歯竿３の各歯竿の隙間につぼみを挟み込み、掴み取るようにして、つぼみを採取する。  
【００２２】
なお、本発明は前述した実施の形態のみに限定されるものではなく、本発明の要旨を逸脱しない範囲において種々の変更が可能であることは勿論である。
【符号の説明】
【００２３】
１      装着式つぼみ採取器２      歯先３      歯竿４      爪部５      ベース部６      調整部７      持ち手部８      穴９      穴 
【図１】
2015136341.tif 000003
【図２】
2015136341.tif 000004
【図３】
2015136341.tif 000005
【図４】
2015136341.tif 000006
【図５】
2015136341.tif 000007